(57)【要約】【課題】少量の血で、かつ、血液に与える機械的な刺激が少なく、簡易な手法でより正確に中空糸型デバイスの生体適合性を評価できる方法を提供すること。【解決手段】中空糸型デバイスに血液を導入し、そのまま、デバイスを回転させた後に、中空糸内部から導出した血液成分及び／又は中空糸内表面に付着した血液成分を測定することによって、簡便に中空糸型デバイスの生体適合性を評価する。【選択図】図１
2018017720.tif 000002
【特許請求の範囲】
【請求項１】
血液を中空糸内部に導入する工程、
前記中空糸を回転させる工程、及び、
中空糸内部から導出した血液及び／又は中空糸内表面に付着した血液について、その特性及び／又は成分の濃度を測定する工程を、
この順に含む、中空糸の生体適合性評価方法。
【請求項２】
前記回転工程において、前記中空糸を中空糸デバイス内に収容した状態で回転させる、請求項１に記載の中空糸の生体適合性評価方法。
【請求項３】
前記回転をローテーターを用いて行う、請求項１または２に記載の中空糸の生体適合性評価方法。
【請求項４】
前記成分が、赤血球、血小板、白血球、血漿タンパク、白血球由来の産生物、血小板由来の産生物、血液凝固因子、血液凝固因子活性化物質、血液線溶系活性化物質、及び、補体活性化物質からなる群から選ばれる少なくとも一つである、請求項１〜３のいずれかに記載の中空糸の生体適合性評価方法。
【請求項５】
前記成分が、サイトカイン又はケモカインである、請求項４に記載の方法。
【発明の詳細な説明】
【技術分野】
【０００１】
本発明は、血液透析器や血漿分離器などの血液中の特定の物質を分離するための中空糸デバイス等に好適に用いられる中空糸の内表面の生体（血液）適合性の評価方法に関する。
【背景技術】
【０００２】
近年、血液接触を伴う医療器具、特に体外循環型医療器具の進歩はめざましく、体外循環施行中に血液凝固などを起こして、体外循環が続行できなくなるなどのトラブルは少なくなった。血液透析に代表される体外循環治療時の主なトラブルは、異物である材料表面と血液が接触することにより、生体反応が惹起されることに始まる。主な臨床症状としては血液凝固、アナフィラキシーショック、白血球の一過性減少（ロイコペニア）、発熱、血圧の低下または上昇など多岐にわたる。これら急性の臨床症状を伴う体外循環時の問題発生のメカニズムは古くから研究されており、材料表面と血液が接触することによって、血小板が活性化されることや、セルロースなどの水酸基を多く持つ表面との接触による血液中の補体成分の活性化、陰性荷電表面と血液の接触によるブラジキニンの産生、透析液から血液側にエンドトキシンが逆流入することなどが原因と考えられている。
従来の医療機器はこれらのメカニズムを考慮し、材料の生体適合性または血液適合性を良くすることによって問題を改善してきた。
【０００３】
より正確な材料の生体適合性や血液適合性を評価するためには、実際の透析中の患者様より採血して評価する必要があるが、そのためには、開発品の安全性や性能を満足してからでないと評価が出来ない。そこで、生体外で可能な限り臨床条件に近づけるため、中空糸型モジュールと血液を循環させるための回路をつないで血液をポンプなどで流しまたは循環させて、中空糸型モジュールに血液を通液させて、評価を行うことが一般に行われている。（例えば、特許文献１を参照）。
しかしながら、その場合、モジュールに接続している回路部分を満たすために血液量が余分に必要であったり、ポンプによる機械的な刺激によって血液が活性化されたり、又、回路とモジュールとの接続の段差があると血液のよどみができ、血液が凝固してしまう等の評価結果が評価対象である中空糸内表面とは関係のない要素の影響を受けるという欠点があった。
【０００４】
よどみによる血液凝固の問題をなくすための方法が、特許文献２に開示されている。しかしながら、回路とポンプを設けたｉｎ  ｖｉｔｒｏの血液を用いた評価方法では、現実的には、どうしても、ポンプによる刺激や回路との接触による刺激によって血液が活性化されてしまうために、モジュール内の中空糸内表面のみの生体適合性を精度よく評価することができないという問題点があった。
【０００５】
一方、特許文献３には、中空糸の内表面のみの生体適合性を評価する方法が開示されている。その具体的な方法としては、中空糸内表面の血液適合性を評価する目的で、０．１ｍｍ厚のポリエチレンテレフタレートフィルムに両面接着テープを貼り、その上に中空糸膜５本を長さ方向をそろえ貼り付ける。この中空糸膜の直径の約半分の厚みの隙間ゲージを中空糸膜の両側に置き、ミクロトーム用の刃を用いて２枚にそぐように切り、中空糸膜の内表面を露出させる。このフィルムを直径２ｃｍの円形に打ち抜いて試料サンプルとして、１８ｍｍφのポリスチレンチューブの底に試料サンプルを貼り付け、内側に血液を保持できるように加工する。そのサンプルが入ったチューブ内にヘパリン濃度が５０Ｕ／ｍｌになるように調整したヒト血液を１ｍｌ入れて、３７℃６０ｍｉｎ振盪速度１２０回／ｍｉｎで浸漬する、という方法が開示されている。
しかしながら、この方法では、中空糸膜を長さ方向に揃えてフィルムに貼り付け、そのうえで、中空糸の直径のおよそ半分をそぐように切るなど操作上、極めて煩雑であり、又、中空糸の内表面以外のチューブにも血液が接触したり、空気との接触が起こるなどして、正確に中空糸内表面の生体適合性を評価できないという欠点は残されたままであった。
【０００６】
そこで、評価のために必要な血液量を少なくすると共に、中空糸材料の内表面そのものの生体適合性や血液適合性を正確にかつ簡便に評価できる方法の開発が望まれていた。
【先行技術文献】
【特許文献】
【０００７】
【特許文献１】特開２００６−３０５３３３号公報
【特許文献２】特開２０１０−８２０６８号公報
【特許文献３】特開２００５−６９９６６号公報
【発明の概要】
【発明が解決しようとする課題】
【０００８】
本発明は、少量の血液で、血液に機械的な刺激を与えることなく、簡易な手法で、より正確に中空糸デバイスの生体適合性を評価できる方法を提供することを課題とする。
【課題を解決するための手段】
【０００９】
本発明者らは、前記課題を解決するために鋭意研究を行い、中空糸内部に血液を導入し、そのまま、中空糸を回転させるだけで、血液ポンプや血液回路を使用せずとも中空糸内部で血液の流れが十分に生じ、中空糸内表面と血液との相互作用を実際に血液透析等において使用されているのと同程度にまで高めることができることを見出した。
そして、このような知見に基づき、内部に血液を導入後回転撹拌させた中空糸の内部から導出した血液及び／又は中空糸内表面に付着した血液を評価すれば、簡便かつ正確に中空糸の生体適合性を評価できることに想到し、本発明を完成するに至った。
【００１０】
すなわち、本発明は、以下に示すとおりである。
［１］血液を中空糸内部に導入する工程、前記中空糸を回転させる工程、及び、中空糸内部から導出した血液及び／又は中空糸内表面に付着した血液について、その特性及び／又は成分の濃度を測定する工程を、この順に含む、中空糸の生体適合性評価方法。
［２］前記回転工程において、前記中空糸を中空糸デバイス内に収容した状態で回転させる、［１］に記載の中空糸の生体適合性評価方法。
［３］前記回転をローテーターを用いて行う、［１］または［２］に記載の中空糸の生体適合性評価方法。
［４］前記成分が、赤血球、血小板、白血球、血漿タンパク、白血球由来の産生物、血小板由来の産生物、血液凝固因子、血液凝固因子活性化物質、血液線溶系活性化物質、及び、補体活性化物質からなる群から選ばれる少なくとも一つである、［１］〜［３］のいずれかに記載の中空糸の生体適合性評価方法。
［５］前記成分がサイトカイン又はケモカインである、［４］に記載の方法。
【発明の効果】
【００１１】
本発明の中空糸の生体適合性評価方法によれば、血液ポンプや血液回路を使用しないので評価に要する血液量を低減でき、簡易な手法で正確に中空糸の生体適合性を評価することができる。
【図面の簡単な説明】
【００１２】
【図１】ローテーターに比較的大きな中空糸デバイスをセットした状態を示す概略図である。
【図２】ローテーターに比較的小さな中空糸デバイスをセットした状態を示す概略図である。
【発明を実施するための形態】
【００１３】
以下、本発明を実施するための形態（以下、「本実施形態」という。）についてさらに詳細に説明する。詳細に本発明はこれに限定されるものではなく、その要旨を逸脱しない範囲で様々な変形が可能である。
【００１４】
本実施形態において、生体適合性評価の対象となる中空糸は、中空糸デバイス等に収容されて、血液中の特定の物質を分離するために使用できる。
ここで、中空糸デバイスとは、流体から特定の物質を分離するための部品として中空糸を用いるデバイスであり、通常、流体入口と流体出口とを有する可撓性あるいは剛性の容器と、該容器内に収容された中空糸束とから構成される。
中空糸デバイスとしては、例えば、血液透析器、血液濾過器、血液透析濾過器、血漿分離器、血漿成分濾過器などが挙げられ、これらは、特に血液浄化療法で用いられ、主に人工透析（濾過）療法やアフェレシス療法分野において広く用いられる。
【００１５】
本実施形態において、中空糸とは、内部にその長手方向に平行な中空部を有する糸状体であって、壁面に複数の細孔を有するものをいう。一般に、中空糸はその壁面に多数の細孔を有しており、その粒径に応じて、中空糸内外での各種物質の交換が可能である。
中空糸の素材には、特に限定はなく、例えば、ポリスルホン、ポリスルホンとポリビニルピロリドンとからなる共重合体等のポリスルホン系ポリマー、ビタミンＥ固定化ポリスルホン、エチレンビニルアルコール、ポリアクリルニトリル、ポリエチレン、再生セルロース、セルロースジアセテート、セルローストリアセテート、ポリエーテルスルホン、ポリメチルメタクリレート等が挙げられる。
【００１６】
評価の際に使用する中空糸の長さに特段の制限はないが、通常長さ１〜１００ｃｍ、より好ましくは、５ｃｍから５０ｃｍの範囲のものが良く用いられる。中空糸の膜の厚さに限定はなく、一般的には、５μｍ〜１００μｍ、より好ましくは、１０μｍ〜５０μｍがより好適に使用される。中空糸の内径にも限定はないが、中空糸内部に血液を流すこと、及び物質交換効率の観点から、１００〜３００μｍが好ましい。
【００１７】
本実施形態において、血液とは、血液成分を含んだ溶液、若しくは、血液系細胞由来の継代可能な培養細胞を含んだ溶液の事を言う。なお、血液成分とは、赤血球、血小板、白血球、血漿タンパク、白血球由来の産生物、血小板由来の産生物、血液凝固因子、血液凝固因子活性化物質、血液線溶系活性化物質、及び、補体活性化物質等のことを言う。
本実施形態においては、血液として、上記のいずれを用いることもできるが、血球測定がコールターカウンター等によって計測可能でかつ操作が簡便であることを考慮すると、特に、比較的多量の白血球、血小板を含有する溶液である全血や培養細胞を含んだ溶液が好適に用いられる。
【００１８】
血液の由来としては、動物の血液であれば特に制限はなく、例えば、ヒト、ウシ、ブタ、ラット、マウス、ウサギ、ヤギ、ヒツジ、サルなどの血液を用いることができる。とりわけ、中空糸デバイスはヒトでの使用が意図されている場合が多く、ヒトの血液が好適に用いられる。
又、血液系細胞由来の培養細胞については、細胞の種類に特に制限はないが、例えば、ヒト単球系細胞株であるＴＨＰ−１細胞やマウスのマクロファージ由来の細胞株であるＲＡＷ２６４．７細胞株などを用いることができる。
【００１９】
本実施形態において、中空糸の生体適合性評価とは、中空糸内表面と接触した後の血液、又は、中空糸内表面に付着した血液の、接触（付着）前からの変化（具体的には、各種成分の量や質の変化等）を定量的又は定性的に評価することをいう。
【００２０】
具体的には、例えば、中空糸内表面と接触させた後の血液の成分の量的な変化としては、血小板や白血球などの血液細胞；Ｃ３ａ、Ｃ５ａ、ＳＣ５ｂ−９などのような補体の活性化に伴って増加する補体活性化成分；血液凝固系や血液線溶系の活性化に伴って増加するＴＡＴやＰＩＣ；血小板の活性化に伴って産生される、β−ＴＧやＰＦ−４；白血球系の細胞の活性化に伴って産生される顆粒球エラスターゼやミエロペルオキシダーゼ、ＩＬ−１、ＴＮＦ−α、ＩＬ−６などのサイトカインやＭＩＰ−１、ＭＣＰ−１、ＲＡＮＴＥＳなどのケモカイン等の量（濃度）の変化が挙げられる。さらに、近年では、血液の抗酸化能の指標となるＰＡＯ（Ｐｏｔｅｎｔｉａｌ  Ａｎｔｉ  Ｏｘｉｄａｎｔ）やＢＡＰ（Ｂｉｏｌｏｇｉｃａｌ  Ａｎｔｉ−ｏxｉｄａｎｔ  Ｐｏｔｅｎｔｉａｌ）、脂質過酸化分解生成物の一つであるＭＤＡ（Ｍａｌｏｎｄｉａｌｄｅｈｙｄｅ）、スーパーオキサイドアニオンを分解する酵素であるＳＯＤ（Ｓｕｐｅｒ  Ｏｘｉｄｅ  Ｄｉｓｍｕｔａｓｅ）、酸化ストレス度のマーカーであるヒドロペルオキシドの量（濃度の変化）も、代表的な生体適合性を評価する測定項目として挙げられる。
【００２１】
又、中空糸内表面と接触させた後の血液の成分の質的な変化としては、白血球系の細胞である顆粒球細胞の表面マーカーであるインテグリンＣＤ１１ｂ／ＣＤ１８（Ｍａｃ−１としても知られる）発現又は増加や血小板の活性化に伴うＣＤ６２Ｐの発現又は増加なども挙げられる。
【００２２】
さらに、中空糸内表面に付着した血液の変化の測定としては、中空糸内表面に付着した血小板や白血球の数や形態をＳＥＭ観察したり、血小板と相互作用するフィブリノーゲンの中空糸内表面への吸着量やその変性度合いを測定することなどが挙げられる。
【００２３】
ところで、生体適合性の優れた中空糸としては、ビタミンＥを内表面に固定化したポリスルホン製の中空糸が知られている。
その臨床評価の例示として以下のことが報告されている。例えば、ビタミンＥを固定化したポリスルホン製の中空糸を含む透析器を使用して透析治療を行った結果、ビタミンＥを固定化していないポリスルホン製中空糸を用いた場合に比べて、ＴＡＴは低値になり、血液凝固系の亢進が抑制されたとの報告がある（寺嶋ら、仙台赤十字病医雑Ｖｏｌ．１２，Ｎ０．１，９５−１０３，２００３）。又、透析患者が、ポリスルホン中空糸を６か月使用した後に、ビタミンＥ固定化ポリスルホン中空糸を含むダイアライザーに変更した結果、透析開始後１５分の補体活性化産物であるＣ３ａ濃度が有意に低かったとの報告がある（本橋ら、２００７年度Ｖｉｔａｍｅｍｂｒａｎｅ  研究会、ビタミンＥ固定化ポリスルホン膜（ＶＰＳ）の臨床評価）。又、ビタミンＥ固定化中空糸のダイアライザーを使用した場合、ビタミンＥを固定化していない中空糸のダイアライザーを使用した場合と比べて、炎症度合いのマーカーであるＣＲＰやＩＬ−６の値が顕著に減少する（Ｐａｎｉｃｈｉ  ｅｔ．  ａｌ．  Ｂｌｏｏｄ  Ｐｕｒｉｆｉｃａｔｉｏｎ，  ２０１１；３２；７−１４．）。さらに、６６名の維持透析患者の透析中のｄ−ＲＯＭの値は、ビタミンＥ固定化ポリスルホン中空糸ダイアライザーでは、その変化が見られなかったが、ビタミンＥを固定化していないポリスルホン中空糸ダイアライザーでは、その値が透析後半に有意に上昇した。すなわち、ビタミンＥ固定化ポリスルホン中空糸ダイアライザーは、透析中の酸化ストレスの影響を受けにくいと推察されている（高橋ら、２０１４年度Ｖｉｔａｍｅｍｂｒａｎｅ  研究会、維持透析患者の酸化ストレス度（ｄ−ＲＯＭ）および抗酸化力の検討）。
このように、ビタミンＥ固定化ポリスルホン中空糸は、ビタミンＥを固定化していないポリスルホン中空糸に比べて、生体適合性がすぐれていることが数多く報告されている。
【００２４】
本実施形態においては、まず、中空糸内部に血液を導入する。導入量に限定はないが、中空糸内部を血液で満たすことが好ましい。後述のように中空糸が容器に収容されている場合には、例えば、容器中を血液で満たすことが好ましい。
【００２５】
次に、本実施形態の評価方法においては、血液を内部に導入した中空糸を回転させる工程を含む。
中空糸内部に血液を導入するだけでは、血液成分、とりわけ、白血球や血小板などの血球成分と中空糸内表面との接触頻度が極めて低いために、臨床を反映した正確なデータを取得することができない。
しかしながら、本実施形態においては、血液導入後に中空糸を回転させるという単純な操作を行うことによって、臨床を反映した正確なデータの取得を実現した。
【００２６】
本実施形態において、中空糸を回転させる際には、内部に導入した血液がこぼれないようにすることが好ましく、例えば、中空糸の端部を塞いだり、あるいは、中空糸を密栓できる容器に収容して回転させることが好ましい。
中空糸を収容する密栓できる容器に限定はなく、いかなる形状のものも使用できるが、例えば、このような容器として、上述した中空糸デバイスを利用することも好ましい。その際、中空糸デバイスの長さ、太さ、質量、血液保持容量などに特段の制限はないが、回転を行うに際して支障がないことを考慮すると、それぞれ、長さは１ｃｍ〜１００ｃｍ、太さは１ｍｍ〜５０ｃｍ、質量は０．０１ｇ〜１０Ｋｇ、血液保持容量は１０μｌ〜２００ｍｌ程度の範囲であることが好ましい。
【００２７】
本実施形態において、回転は、中空糸の長手方向と略平行な面内で行うことが好ましい。さらに、その際、中空糸又はその延長線が、回転の中心の近傍を通ることがより好ましい。このような方向で中空糸を回転させると、中空糸内部で血液の流れがより効率的に生じ、中空糸内表面と血液との相互作用をより高めることができる。
また、本実施形態において、回転はローテーターを用いて行うことが好ましい。ここで、ローテーターとは、回転対象物を、平板状の回転体であってその面内で回転する回転体に設置して、回転させる装置のことをいう。
中空糸や中空糸デバイスのローテーターの回転体へのセットの方法に限定はないが、回転体が接地面に対して垂直である場合には、中空糸を回転体にセットした際に、中空糸が接地面に触れないようにセットすることが好ましい。具体的には、図１に示すように、中空糸（デバイス）がローテーターの回転体のほぼ中心をとおるように、回転体の直径に沿って中空糸デバイスをセットしても良い。あるいは、中空糸（デバイス）が比較的小さい場合は、図２に示すようにローテーターの回転体の円周に沿って円周（接線）に垂直に（回転体の中心が中空糸の延長線上に乗るように）、中空糸（デバイス）を並べてセットしても良い。また、中空糸（デバイス）は回転体からはみ出すように設置してもよい。
【００２８】
ローテーターの回転体の接地面に対する角度については特に制限はないが、ローテーターが設置されている接地面に対して平行になった場合、血球成分が遠心力によって中空糸の両端に偏ってしまい、中空糸内表面と均一に接触することができなくなってしまうので好ましくない。従って、ローテーターの回転体と接地面とがなす角度は、５度〜１７５度の範囲であることが好ましく、４５度〜１３５度の範囲がより好ましく、さらに好ましくは、６０度〜１２０度の範囲であり、回転体が接地面に対して垂直となるようにすることはとても好ましい。
【００２９】
本実施形態において、回転の具体的な方法に特に限定はないが、中空糸の損傷を起こさないこと、極端な血液細胞の破壊が起こらないようにすること、工程の簡便さ等を考慮に入れると、中空糸を中空糸デバイスに収容し、該中空糸デバイスをローテーターの回転体に設置して回転させることによって、中空糸内表面と血液を比較的穏やかに接触させる方法が好ましい。
【００３０】
また、ローテーターの回転体の大きさには特に限定はないが、取り扱い性の面から比較的小型で半径の小さな回転体が好ましく、例えば、直径が１ｃｍ〜２００ｃｍ、より好ましくは５ｃｍ〜１００ｃｍ、さらに好ましくは１０ｃｍ〜５０ｃｍの円板が好ましい。そのような回転体を有するローテーターとしては、例えば、「ＲＯＴＡＴＯＲＲＴ５０」（日本国、タイテック社製）等が挙げられる。なお、回転体は、必ずしもその幅や直径が中空糸（デバイス）の長さより大きい必要はない。
【００３１】
回転速度についても特に限定はないが、遠心力によって血液成分が移動するような速い速度は、血液成分を中空糸内表面に十分に接触させることができず、また操作上の安全性の面で好ましくない。従って、比較的ゆっくりした回転速度で撹拌することが好ましく、１から１０ｒｐｍが実用的であり、さらに好ましくは１から５ｒｐｍである。
【００３２】
本実施形態において、回転させる時間については、特に限定はないが、できるだけ実臨床における生体適合性評価結果と相関するデータが得られるような時間設定が必要である。そのような観点からは、回転撹拌時間としては、１０秒以上であれば良いが、精度の面から、２０分以上が好ましい。さらに実臨床時の施行時間を考慮に入れると、３０分から２４時間が好ましく、さらに好ましくは６０分から４時間が好ましい。
【実施例】
【００３３】
以下実施例をあげて本発明をさらに詳細に説明するが、本発明は何らこれに限定されるものではない。
【００３４】
［実施例１］
健常人からディスポーザブルシリンジと１８Ｇ翼状針にて１８０ｍｌの採血を行い、直ちに抗凝固剤としてヘパリン濃度が１０００Ｕ／Ｌになるようにヘパリンの入った血液バッグに移し、よく混合した。
【００３５】
ポリスルホン製中空糸透析器ＡＰＳ−０８ＳＡ（旭化成メディカル社製）（以後、透析器１と略す）と、透析器１より生体適合性の高いことがすでに確認されているビタミンＥが固定化されたポリスルホン製中空糸透析器ＶＰＳ−０８ＨＡ（旭化成メディカル社製）（以後、透析器２と略す）を用意し、それぞれ、予め生理食塩水（２Ｌ）で、血液接触面側である中空糸内表面、及び、透析液側である中空糸外表面側を洗浄した。その後、中空糸外表面側（透析液側）に残留した生理食塩水は廃液し、透析液導入出口をキャップで密栓した。
次いで、透析器１、透析器２それぞれに、ヘパリン濃度が１０００Ｕ／Ｌの全血液６０ｍｌを血液導入口側から、１００ｍｌ用シリンジを用いてゆっくりと導入し、血液導出口から出てきた液体を排出し、血液導出口と血液導入口にキャップを嵌めて密栓した。
その後、各透析器を、ローテーター「ＲＯＴＡＴＯＲ  ＲＴ−５０」（日本国、タイテック社製）の直径２０ｃｍの円板状回転体に、図１のように透析器が回転体の中心付近を通るようにセットして、５ｒｐｍの速度で２４０分間回転撹拌した。
【００３６】
回転撹拌終了後に各透析器の血液導出口より取り出した血液を、別の２ｍｌ容のエッペンドルフチューブに移し、血球測定装置「ＸＴ−１８００ｉ」（日本、Ｓｙｓｍｅｘ社製）にて白血球数および血小板数を測定した。
【００３７】
結果を表１に示す。尚、表１中、透析器に導入する前の元の血液の白血球数および血小板数をｐｒｅとして表した。その結果、透析器２の中空糸内表面に接触した血液は、透析器１の中空糸内表面に接触した血液に比べて、白血球数、血小板数共に多く、元の血液の値と近い値となった。これは、透析器２は、透析器１に比べて白血球や血小板を接着させない事、すなわち、透析器２は透析器１より生体適合性が良いことを示しており、本発明の評価方法による評価結果は、実際の生体適合性と一致することが確認できた。
【００３８】
【表１】
2018017720.tif 000003
【００３９】
又、透析器１及び透析器２より取り出した血液を、各々、テーブルトップ遠心機４０００（日本、ＫＵＢＯＴＡ社製）にて３５００ｒｐｍで１０分間、遠心分離し、得られた血漿中の６種類のサイトカイン類（ＩＬ−１β，ＩＬ−５，ＩＬ−６，ＩＬ−８，ＩＦＮ−γ，ＴＮＦ−α）及びケモカイン類（ＭＩＰ１−α、ＲＡＮＴＥＳ）の濃度をＢｉｏ−Ｐｌｅｘシステム（Ｂｉｏ−Ｒａｄ社製  Ｂｉｏ−Ｐｌｅｘ  Ｐｒｏ  ヒト  サイトカイン  ＧＩ２７−ｐｌｅｘ  パネル）を用いて測定した。
結果を表２に示す。尚、元の血液について測定した結果をｐｒｅとして表した。その結果、透析器２の中空糸内表面に接触した血液は、透析器１の中空糸内表面に接触した血液に比べて、サイトカイン類、ケモカイン類共に低い値を示しており、元の血液の値と近い値であった。これは、透析器２は、透析器１に比べて生体適合性が良いことを示しており、本発明の評価方法による評価結果は、実際の生体適合性と一致することが確認できた。
【００４０】
【表２】
2018017720.tif 000004
【００４１】
［実施例２］
健常人からディスポーザブルシリンジと１８Ｇ翼状針にて１８０ｍｌの採血を行い、直ちに抗凝固剤としてヘパリン濃度が１０００Ｕ／Ｌになるようにヘパリンの入った血液バッグに移し、よく混合した。
【００４２】
実施例１で用いたのと同一の透析器１及び透析器２を用意し、それぞれ、予め生理食塩水（２Ｌ）で、血液接触面側である中空糸内表面、及び、透析液側である中空糸外表面側を洗浄した。その後、中空糸外表面側（透析液側）に残留した生理食塩水は廃液し、透析液導入出口をキャップで密栓した。
次いで、透析器１、透析器２それぞれに、ヘパリン濃度が１０００Ｕ／Ｌの全血液６０ｍｌを血液導入口側から、１００ｍｌ用シリンジを用いてゆっくりと導入し、血液導出口から出てきた液体を排出し、血液導出口と血液導入口にキャップを嵌めて密栓した。
その後、各透析器を、ローテーター「ＲＯＴＡＴＯＲ  ＲＴ−５０」（日本国、タイテック社製）の直径２０ｃｍの円板状回転体に、図１のように透析器が回転体の中心付近を通るようにセットして、５ｒｐｍの速度で２４０分間回転撹拌した。
【００４３】
回転撹拌終了後に各透析器の血液導出口より血液を取り出した。取り出した血液について、ａ）血液凝固因子の活性化の指標であるＴＡＴ（トロンビン・アンチトロンビンIII複合体）、ｂ）血小板活性化の指標であるβ―ＴＧ（β−トロンボグロブリン）、ｃ）抗酸化能の指標であるＰＡＯ（Ｐｏｔｅｎｔｉａｌ  Ａｎｔｉ  Ｏｘｉｄａｎｔ）、及び、ｄ）抗酸化力を示すＢＡＰ（Ｂｉｏｌｏｇｉｃａｌ  Ａｎｔｉ―ｏxｉｄａｎｔ  Ｐｏｔｅｎｔｉａｌ）について、以下の手順で測定した。
ａ）ＴＡＴ
血液１．８ｍｌを、遠心機「ハイブリッド高速冷却遠心機６２００」（日本国、ＫＵＢＯＴＡ社製）にて室温で、３，５００ｒｐｍで１０分間、遠心分離して血漿を取得し、その血漿中のＴＡＴ濃度を酵素免疫測定法で測定した。
ｂ）β―ＴＧ
血液２．７ｍｌを15分氷冷し、遠心機「ハイブリッド高速冷却遠心機６２００」（日本国、ＫＵＢＯＴＡ社製）にて４℃で、２０００Ｇで３０分間、遠心分離して血漿を取得し、その血漿中のβ―ＴＧを酵素免疫測定法にて測定した。
ｃ）ＰＡＯ
血液０．５ｍｌを遠心機「ハイブリッド高速冷却遠心機６２００」（日本国、ＫＵＢＯＴＡ社製）にて室温で、３，５００ｒｐｍで１０分間、遠心分離して血漿を取得し、その血漿を用いて、抗酸化能測定キット「ＰＡＯ」（日本国、日研ザイル株式会社  日本老化制御研究所）を用いて測定した。
ｄ）ＢＡＰ
血液０．５ｍｌを遠心機「ハイブリッド高速冷却遠心機６２００」（日本国、ＫＵＢＯＴＡ社製）にて室温で、３，５００ｒｐｍで１０分間、遠心分離して血漿を取得し、その血漿を用いて、ＦＲＥＥ  Ｃａｒｒｉｏ  Ｄｕｏ  フリーラジカル解析装置（日本国、株式会社ウィスマー社製）を用いて測定した。
【００４４】
又、回転撹拌終了後に各透析器の血液導出口より血液を取り出した後、生理食塩水（５００ｍＬ）を血液導入口から、流速１００ｍｌ／ｍｉｎで流し、中空糸内表面を洗浄した。各透析器のハウジングを解体して、赤血球の残っていない中空糸の長さ１０ｃｍ、本数１００本を取り出し、２，３ｍｍにカットした後、ｅ）中空糸膜内表面に吸着した総タンパク量及びｆ）中空糸膜内表面に吸着したフィブリノーゲン量について、以下の手順で測定した。
ｅ）中空糸膜内表面に吸着した総タンパク量
カットした中空糸膜に１.０％ＳＤＳ溶液４．０ｍｌを加え、４時間撹拌した。その後、上清をサンプルとして、総タンパク量をＭｉｃｒｏ  ＢＣＡ  Ｐｒｏｔｅｉｎ  Ａｓｓａｙ  Ｒｅａｇｅｎｔ（米国、Ｔｈｅｒｍｏ  Ｆｉｓｈｅｒ  Ｓｃｉｅｎｔｉｆｉｃ社）にて測定し、中空糸内膜面積当たりの総タンパク吸着量として算出した。
ｆ）中空糸膜内表面に吸着したフィブリノーゲン量
カットした中空糸膜に０.５％ＴｒｉｔｏｎＸ−１００溶液  ２．０ｍｌを加え、１時間撹拌した。その後、上清をサンプルとして、フィブリノーゲン量をＡｓｓａｙＭａｘTM Ｈｕｍａｎ  Ｆｉｂｒｉｎｏｇｅｎ  ＥＬＩＳＡ  Ｋｉｔ（米国、Ａｓｓａｙｐｒｏ  ＬＬＣ社）にて測定し、中空糸内膜面積当たりのフィブリノーゲン吸着量として算出した。
【００４５】
上記ａ）〜ｆ）の測定結果について、表３に示した。その結果、透析器２は、透析器１に比べて、フィブリノーゲン吸着を抑制し、血液凝固因子の活性化や血小板の活性化を起こしにくく、さらには、抗酸化能を有していることが確認された。すなわち、透析器２は透析器１より生体適合性が良いことを示しており、本発明の評価方法による評価結果は、実際の生体適合性と一致することが確認できた。
【００４６】
【表３】
2018017720.tif 000005
【産業上の利用可能性】
【００４７】
本発明の方法によれば、少ない血液量で簡便かつ正確に中空糸の生体適合性を評価できるので、血液透析器や血漿分離器などの各種デバイスに使用するための中空糸の評価に好適に利用できる。
【図１】
2018017720.tif 000006
【図２】
2018017720.tif 000007